(57)【要約】      （修正有）【課題】冷凍サイクルを適正化することができる多室型空気調和機を提供する。【解決手段】それぞれ室内熱交換器７ａ〜７ｃと室内減圧装置８ａ〜８ｃと室内熱交換器温度を検出する室内熱交換器温度検出手段９ａ〜９ｃとを有する室内機１０ａ〜１０ｃと、圧縮機１と室外熱交換器２と四方弁４と室外減圧装置３と室外熱交換器２の温度を検出する室外熱交換器温度検出手段５と圧縮機１の吐出温度を検出する吐出温度検出手段１１を有する室外機６とから構成され、吐出温度検出手段１１の検出した吐出温度が、冷房運転時に、室外熱交換器温度検出手段５が検出する温度を凝縮温度とし、室内熱交換器温度検出手段９ａ〜９ｃが検出する温度の内最も低い値を蒸発温度として、冷凍サイクルを最適となるような吐出温度との偏差に基づき減圧制御するもので、確実に凝縮温度と蒸発温度とを認識させることができるため、冷凍サイクルを常に最適に保つことができる。【選択図】図１
2008281304.tif 000002
【特許請求の範囲】
【請求項１】
それぞれ室内熱交換器と室内減圧装置と前記室内熱交換器の温度を検出する室内熱交換器温度検出手段とを有する複数の室内機と、圧縮機と室外熱交換器と四方弁と室外減圧装置と前記室外熱交換器の温度を検出する室外熱交換器温度検出手段と前記圧縮機の吐出温度を検出する吐出温度検出手段を有する室外機とから構成され、前記吐出温度検出手段の検出した吐出温度が、冷房運転時に、前記室外熱交換器温度検出手段が検出する温度を凝縮温度とし、前記複数の室内熱交換器温度検出手段が検出する温度の内最も低い値を蒸発温度として、冷凍サイクルを最適となるような吐出温度との偏差に基づき減圧制御することを特徴とする多室型空気調和機。
【請求項２】
それぞれ室内熱交換器と室内減圧装置と前記室内熱交換器の温度を検出する室内熱交換器温度検出手段とを有する複数の室内機と、圧縮機と室外熱交換器と四方弁と室外減圧装置と前記室外熱交換器の温度を検出する室外熱交換器温度検出手段と前記圧縮機の吐出温度を検出する吐出温度検出手段を有する室外機とから構成され、前記吐出温度検出手段の検出した吐出温度が、暖房運転時に、前記複数の室内熱交換器温度検出手段が検出する温度の内最も高い値を凝縮温度とし、前記室外熱交換器温度検出手段が検出する温度を蒸発温度として、冷凍サイクルを最適となるような吐出温度との偏差に基づき減圧制御することを特徴とする多室型空気調和機。
【請求項３】
圧縮機の吸入温度を検出する吸入温度検出手段を有し、吐出温度検出手段の検出する吐出温度が、冷房運転時に、複数の室内熱交換器温度検出手段が検出する温度の内最も低い値と前記吸入温度検出手段が検出した吸入温度とを比較して、低い値を蒸発温度として冷凍サイクルを最適となるような吐出温度との偏差に基づき減圧制御することを特徴とする請求項１に記載の多室型空気調和機。
【請求項４】
圧縮機の吸入温度を検出する吸入温度検出手段を有し、吐出温度検出手段の検出する吐出温度が、暖房運転時に、室外熱交換器温度検出手段が検出する温度と前記吸入温度検出手段が検出した吸入温度とを比較して、低い値を蒸発温度として冷凍サイクルを最適となるような吐出温度との偏差に基づき減圧制御することを特徴とする請求項２に記載の多室型空気調和機。
【発明の詳細な説明】
【技術分野】
【０００１】
本発明は、多室型空気調和機に関するものである。
【背景技術】
【０００２】
従来の多室型空気調和機として、冷房運転時に、室内熱交換器の冷媒過熱度を一定に保つようにしたものがある（例えば、特許文献１参照）。
【特許文献１】特開昭６０−１０８６３２号公報
【発明の開示】
【発明が解決しようとする課題】
【０００３】
しかしながら、上記特許文献１に開示された従来の多室型空気調和機の構成においては、冷房運転時に、室内熱交換器の冷媒過熱度を一定に保ち、前記室内熱交換器が性能を最大限発揮できる減圧量に室内減圧装置を調整しているが、冷凍サイクルの適正化の観点は無く、圧縮機にとって過酷な運転状態に陥るという課題があった。
【０００４】
本発明は、上記従来の課題を解決し、室内熱交換器が性能を最大限発揮できる減圧量に室内減圧装置を調整しつつ、冷凍サイクルを適正化することができる多室型空気調和機を提供することを目的とする。
【課題を解決するための手段】
【０００５】
前記従来の課題を解決するために、本発明の多室型空気調和機は、それぞれ室内熱交換器と室内減圧装置と前記室内熱交換器の温度を検出する室内熱交換器温度検出手段とを有する複数の室内機と、圧縮機と室外熱交換器と四方弁と室外減圧装置と前記室外熱交換器の温度を検出する室外熱交換器温度検出手段と前記圧縮機の吐出温度を検出する吐出温度検出手段を有する室外機とから構成され、前記吐出温度検出手段の検出した吐出温度が、冷房運転時に、前記室外熱交換器温度検出手段が検出する温度を凝縮温度とし、前記複数の室内熱交換器温度検出手段が検出する温度の内最も低い値を蒸発温度として、冷凍サイクルを最適となるような吐出温度との偏差に基づき減圧制御するもので、室内機間に高低差がある設置状態や室内負荷の異なる部屋への設置状態においても、確実に凝縮温度と検知誤差の少ない蒸発温度とを認識させることができるため、冷凍サイクルを常に最適に保つことができる。
【０００６】
また、本発明の多室型空気調和機は、それぞれ室内熱交換器と室内減圧装置と前記室内熱交換器の温度を検出する室内熱交換器温度検出手段とを有する複数の室内機と、圧縮機と室外熱交換器と四方弁と室外減圧装置と前記室外熱交換器の温度を検出する室外熱交換器温度検出手段と前記圧縮機の吐出温度を検出する吐出温度検出手段を有する室外機とから構成され、前記吐出温度検出手段の検出した吐出温度が、暖房運転時に、前記複数の室内熱交換器温度検出手段が検出する温度の内最も高い値を凝縮温度とし、前記室外熱交換器温度検出手段が検出する温度を蒸発温度として、冷凍サイクルを最適となるような吐出温度との偏差に基づき減圧制御するもので、室内機間に高低差がある設置状態や室内負荷の異なる部屋への設置状態においても、確実に凝縮温度と検知誤差の少ない蒸発温度とを認識させることができるため、冷凍サイクルを常に最適に保つことができる。
【発明の効果】
【０００７】
本発明の多室型空気調和機は、圧力センサを用いることなく確実に凝縮温度と蒸発温度とを認識させることができるため安価な仕様で冷凍サイクルを適正化できると共に圧縮機が過酷な運転状態に陥ることがなく常に最適に保つことができる。
【発明を実施するための最良の形態】
【０００８】
第１の発明は、それぞれ室内熱交換器と室内減圧装置と前記室内熱交換器の温度を検出する室内熱交換器温度検出手段とを有する複数の室内機と、圧縮機と室外熱交換器と四方弁と室外減圧装置と前記室外熱交換器の温度を検出する室外熱交換器温度検出手段と前記圧縮機の吐出温度を検出する吐出温度検出手段を有する室外機とから構成され、前記吐出温度検出手段の検出した吐出温度が、冷房運転時に、前記室外熱交換器温度検出手段が検出する温度を凝縮温度とし、前記複数の室内熱交換器温度検出手段が検出する温度の内最も低い値を蒸発温度として、冷凍サイクルを最適となるような吐出温度との偏差に基づき減圧制御するもので、室内機間に高低差がある設置状態や室内負荷の異なる部屋への設置状態においても、確実に凝縮温度と検知誤差の少ない蒸発温度とを認識させることができるため、冷凍サイクルを常に最適に保つことができる。
【０００９】
第２の発明は、それぞれ室内熱交換器と室内減圧装置と前記室内熱交換器の温度を検出する室内熱交換器温度検出手段とを有する複数の室内機と、圧縮機と室外熱交換器と四方弁と室外減圧装置と前記室外熱交換器の温度を検出する室外熱交換器温度検出手段と前記圧縮機の吐出温度を検出する吐出温度検出手段を有する室外機とから構成され、前記吐出温度検出手段の検出した吐出温度が、暖房運転時に、前記複数の室内熱交換器温度検出手段が検出する温度の内最も高い値を凝縮温度とし、前記室外熱交換器温度検出手段が検出する温度を蒸発温度として、冷凍サイクルを最適となるような吐出温度との偏差に基づき減圧制御するもので、室内機間に高低差がある設置状態や室内負荷の異なる部屋への設置状態においても、確実に凝縮温度と検知誤差の少ない蒸発温度とを認識させることができるため、冷凍サイクルを常に最適に保つことができる。
【００１０】
第３の発明は、特に、第１の発明の圧縮機の吸入温度を検出する吸入温度検出手段を有し、吐出温度検出手段の検出する吐出温度が、冷房運転時に、複数の室内熱交換器温度検出手段が検出する温度の内最も低い値と前記吸入温度検出手段が検出した吸入温度とを比較して、低い値を蒸発温度として冷凍サイクルを最適となるような吐出温度との偏差に基づき減圧制御するもので、室内機間に高低差がある設置状態や室内負荷の異なる部屋への設置状態においても、確実に凝縮温度と検知誤差の少ない蒸発温度とを認識させることができるため、冷凍サイクルを常に最適に保つことができる。
【００１１】
第４の発明は、特に、第２の発明の圧縮機の吸入温度を検出する吸入温度検出手段を有し、吐出温度検出手段の検出する吐出温度が、暖房運転時に、室外熱交換器温度検出手段が検出する温度と前記吸入温度検出手段が検出した吸入温度とを比較して、低い値を蒸発温度として冷凍サイクルを最適となるような吐出温度との偏差に基づき減圧制御するもので、室内機間に高低差がある設置状態や室内負荷の異なる部屋への設置状態においても、確実に凝縮温度と検知誤差の少ない蒸発温度とを認識させることができるため、冷凍サイクルを常に最適に保つことができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における多室型空気調和機の冷凍サイクル図である。
【００１４】
図１において、本実施の形態における多室型空気調和機は、室外機６と、室外機６に順次接続された室内機１０ａ、１０ｂ、１０ｃから構成され、室外機６は、圧縮機１と、室外熱交換器２と、室外減圧装置３と、冷暖切り替え用の四方弁４とから構成され、室内機
１０ａ、１０ｂ、１０ｃのそれぞれは、室内減圧装置８ａ、８ｂ、８ｃと、室内熱交換器７ａ、７ｂ、７ｃとを備えている。
【００１５】
５は、室外熱交換器２に取り付けられた室外熱交換器温度検出手段であり、冷房時の凝縮温度、暖房時の蒸発温度を検出するものである。
【００１６】
９ａ、９ｂ、９ｃは、室内熱交換器７ａ、７ｂ、７ｃのそれぞれに取り付けられると共に、その温度を検出する室内熱交換器温度検出手段である。１１は、圧縮機１の吐出温度を検出する吐出温度検出手段である。
【００１７】
以上のように構成された本実施の形態における多室型空気調和機について、以下その動作を説明する。
【００１８】
冷房運転時において、室外機６の圧縮機１から吐出した高圧ガス冷媒は、室外熱交換器２で熱交換されて液化し、室外減圧装置３を通過して室内機１０ａ、１０ｂ、１０ｃへ送られる。室内機１０ａ、１０ｂ、１０ｃでは、それぞれの室内減圧装置８ａ、８ｂ、８ｃで減圧され、室内熱交換器７ａ、７ｂ、７ｃで熱交換されて、低圧ガス化して再度圧縮機１へ戻る。
【００１９】
この時、室内減圧装置８ａ、８ｂ、８ｃは、凝縮温度と蒸発温度とから冷凍サイクルが最適になる吐出温度を算出し、吐出温度検出手段１１の検出する吐出温度との偏差から減圧量を調整するが、凝縮温度は、室外熱交換器温度検出手段５が検出した温度であり、蒸発温度は、室内熱交換器温度検出手段９ａ、９ｂ、９ｃが検出した温度の内、最も低い値としている。本来、蒸発温度は、吸入圧力の飽和温度とすることが一般的であるが、このような構成とすることにより、吸入圧力の飽和温度に限りなく近い値となることから、吸入圧力センサを用いることなく常に最適な冷凍サイクルとすることができる。
【００２０】
次に、本実施の形態における多室型空気調和機による暖房運転について説明する。
【００２１】
暖房運転時において、室外機６の圧縮機１から吐出した高圧ガス冷媒は、室内機１０ａ、１０ｂ、１０ｃへ送られ、室内熱交換器７ａ、７ｂ、７ｃで熱交換されて液化し、室内減圧装置８ａ、８ｂ、８ｃを通過して室外機６へ戻る。室外機６では、室外減圧装置３で減圧され室外熱交換器２で熱交換されて低圧ガス化して再度圧縮機１へ戻る。
【００２２】
暖房運転においても、冷房運転時と同様に、凝縮温度と蒸発温度とから冷凍サイクルが最適になる吐出温度を算出し、吐出温度検出手段１１の検出する吐出温度との偏差から室外減圧装置３の減圧量を調整するが、凝縮温度は、室内熱交換器温度検出手段９ａ、９ｂ、９ｃが検出した温度の内、最も高い値とし、蒸発温度は、室外熱交換器温度検出手段５が検出した温度としている。
【００２３】
本来、凝縮温度は、吐出圧力の飽和温度であるが、上記構成とすることにより、室内機１０ａ〜１０ｃ間に高低差がある設置状態や室内負荷の異なる部屋への設置状態においても確実に凝縮温度を検出できることから、吐出圧力センサを用いることなく常に最適な冷凍サイクルとすることができる。
【００２４】
（実施の形態２）
図２は、本発明の第２の実施の形態における多室型空気調和機の冷凍サイクル図である。本実施の形態は、図２に示すように、圧縮機１の吸入温度を検出する吸入温度検出手段１２を設けたもので、他の構成は、上記第１の実施の形態における多室型空気調和機と同一なので、同一部分については、同一符号を付してその説明を省略する。
【００２５】
本実施の形態における多室型空気調和機の冷房運転時においては、室内減圧装置８ａ、８ｂ、８ｃは、凝縮温度と蒸発温度とから冷凍サイクルが最適になる吐出温度を算出し、吐出温度検出手段１１の検出する吐出温度との偏差から減圧量を調整するが、凝縮温度は室外熱交換器温度検出手段５が検出した温度であり、蒸発温度は、室内熱交換器温度検出手段９ａ、９ｂ、９ｃが検出した温度の内最も低い値と吸入温度検出手段１２が検出した吸入温度とを比較し、低い値としている。
【００２６】
上記構成により、いかなる運転条件においても吸入圧力の飽和温度に限りなく近い値となることから吸入圧力センサを用いることなく常に最適な冷凍サイクルとすることができる。
【００２７】
また、暖房運転時においては、凝縮温度と蒸発温度とから冷凍サイクルが最適になる吐出温度を算出し、吐出温度検出手段１１の検出する吐出温度との偏差から室外減圧装置３の減圧量を調整するが、凝縮温度は、室内熱交換器温度検出手段９ａ、９ｂ、９ｃが検出した温度の内最も高い値とし、蒸発温度は、室外熱交換器温度検出手段５が検出した温度と吸入温度検出手段１２が検出した吸入温度とを比較し低い値としている。
【００２８】
上記構成により、いかなる運転条件、設置状態においても、吐出圧力の飽和温度に限りなく近い凝縮温度と、吸入圧力の飽和温度に限りなく近い蒸発温度となることから、吐出及び吸入圧力センサを用いることなく常に最適な冷凍サイクルとすることができる。
【産業上の利用可能性】
【００２９】
本発明の多室型空気調和機は、冷房運転時に複数の室内熱交換器温度の内最も低い値を蒸発温度入力として、室内機を減圧制御するため、圧力センサを用いることなく安価な仕様で常に快適な空間を提供することができるもので、家庭用、業務用の各種多室型空気調和機に適用できるものである。
【図面の簡単な説明】
【００３０】
【図１】本発明の実施の形態１における多室型空気調和機の冷凍サイクル図
【図２】本発明の実施の形態２における多室型空気調和機の冷凍サイクル図
【符号の説明】
【００３１】
１  圧縮機
２  室外熱交換器
３  室外減圧装置
４  四方弁
５  室外熱交換器検出手段
６  室外機
７ａ、７ｂ、７ｃ  室内熱交換器
８ａ、８ｂ、８ｃ  室内減圧装置
９ａ、９ｂ、９ｃ  室内熱交換器温度検出手段
１０ａ、１０ｂ、１０ｃ  室内機
１１  吐出温度検出手段
１２  吸入温度検出手段
【図１】
2008281304.tif 000003
【図２】
2008281304.tif 000004